(57)【要約】      （修正有）【課題】歯ブラシに正確に当てられるように垂直方向に歯磨剤を吐出できる構造を有するポンプ型歯磨剤容器を提供する。【解決手段】ポンプ型歯磨剤容器は、歯磨剤を充填する充填空間が内部に設けられた容器本体１０と、容器本体１０内に設けられて歯磨剤を容器本体１０の外部に吐出するポンピング手段１３と、容器本体１０の上部に位置し、ポンピング手段１３と連通してポンピング手段１３に対して押しボタンの機能を提供し、歯磨剤の吐出のための吐出口を備えたノズル１２と、を含み、吐出口の端部１２ａがポンピング時にノズル１２が押されて移動する方向に向かうように配置されている。【選択図】図１
2016055171.tif 000002
【特許請求の範囲】
【請求項１】
歯磨剤を充填する充填空間が内部に設けられた容器本体；
前記容器本体内に設けられて歯磨剤を前記容器本体の外部に吐出するポンピング手段；及び
前記容器本体の上部に位置し、前記ポンピング手段と連通して前記ポンピング手段に対して押しボタンの機能を提供し、歯磨剤の吐出のための吐出口を備えたノズル；を含み、
前記吐出口の端部が、ポンピング時に前記ノズルが押されて移動する方向に向かうように配置されたことを特徴とするポンプ型歯磨剤容器。
【請求項２】
前記容器本体は、地面に垂直に立てられるように地面と接する底面の一部または全体がほぼ扁平な構造を有し、
前記吐出口は、地面に向かうように配置されたことを特徴とする請求項１に記載のポンプ型歯磨剤容器。
【請求項３】
前記ノズルの端部が円弧状に曲げられ、前記吐出口が地面に向かうことを特徴とする請求項２に記載のポンプ型歯磨剤容器。
【請求項４】
前記ノズルの端部下面に前記吐出口が形成されて地面に向かうことを特徴とする請求項２に記載のポンプ型歯磨剤容器。
【請求項５】
前記ポンピング手段が、前記容器本体の上端から内部に延設されたシリンダー、及び前記シリンダー内に挿入されて前記ノズルと連動されるピストンユニットを含むことを特徴とする請求項１に記載のポンプ型歯磨剤容器。
【発明の詳細な説明】
【技術分野】
【０００１】
本発明は、ポンプ型歯磨剤容器に関し、より詳しくは、容器内に充填された歯磨剤をポンピングしてノズルを通して吐出する構造を有するポンプ型歯磨剤容器に関する。
【背景技術】
【０００２】
一般に、ペースト状の歯磨剤は、チューブ型の軟質容器に入れられて商品化されるが、このようなチューブ型歯磨剤容器は、歯磨剤の高い粘度のため、場合によっては強い力で容器を押して歯磨剤を絞り出さなければならず、残量を絞り切ることが容易ではないという問題がある。
【０００３】
ペースト状歯磨剤の粘度特性に多くの影響を及ぼす湿潤剤及び保湿剤としては、通常ソルビトール（ｓｏｒｂｉｔｏｌ）が使用される。ソルビトールは約７０％の水溶液状態のものが使用されるが、水分の蒸発とともに固体になり易い性質がある。特に、歯磨剤には研磨剤として固形分が含まれるため、空気との接触時に固形化され易い。このような問題に鑑みて最近はシャンプやボディソープなどに広く用いられているポンプ型容器を歯磨剤に適用し、消費者の便宜を図ろうと試みられている。
【０００４】
しかし、従来のポンプ型容器は、通常ノズルが内容物を水平方向に吐出するように構成されるため、それを歯磨剤に適用する場合、歯ブラシに正確に歯磨剤を付着し難いという問題がある。
【０００５】
歯磨剤の場合は、歯ブラシをなるべく吐出口に近接させて面積の小さい歯ブラシに歯磨剤を付着しなければならないため、一般的なポンプ型容器はこのような用途には適しない。すなわち、一般的なポンプ型容器は水平方向に吐出可能なノズルを備えるため、それをそのまま歯磨剤容器に適用すれば、ノズルの吐出口を歯ブラシに正確に当て難く、吐出された歯磨剤を付着できないか、又は、歯ブラシに付着する歯磨剤の量を調節し難いという問題がある。
【発明の概要】
【発明が解決しようとする課題】
【０００６】
本発明は、上記問題点に鑑みてなされたものであり、歯ブラシに正確に当てられるように垂直方向に歯磨剤を吐出できる構造を有するポンプ型歯磨剤容器を提供することを目的とする。
【課題を解決するための手段】
【０００７】
上記の課題を達成するため、本発明によるポンプ型歯磨剤容器は、歯磨剤を充填する充填空間が内部に設けられた容器本体；前記容器本体内に設けられて歯磨剤を前記容器本体の外部に吐出するポンピング手段；及び前記容器本体の上部に位置し、前記ポンピング手段と連通して前記ポンピング手段に対して押しボタンの機能を提供し、歯磨剤の吐出のための吐出口を備えたノズル；を含み、前記吐出口の端部がポンピング時に前記ノズルが押されて移動する方向に向かうように配置されたことを特徴とする。
【０００８】
前記容器本体は、地面に垂直に立てられるように、地面と接する底面の一部または全体がほぼ扁平な構造を有し、前記吐出口は地面に向かうように配置されることが望ましい。
【０００９】
本発明は、前記ノズルの端部を円弧状に曲げ、前記吐出口が地面に向かうように構成することができる。
【００１０】
代案として、本発明は、前記ノズルの端部下面に前記吐出口を設け、地面に向かうように構成することができる。
【００１１】
前記ポンピング手段は、前記容器本体の上端から内部に延設されたシリンダー、及び前記シリンダー内に挿入されて前記ノズルと連動されるピストンユニットを含むことができる。
【発明の効果】
【００１２】
本発明によれば、歯ブラシ上に歯磨剤を正確に吐出できるため、使用が便利であって、歯磨剤の無駄遣いを防止することができる。
【００１３】
また、歯ブラシに対して正確に当てることができるため、歯磨剤の使用量を容易に調節することができる。
【００１４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００１５】
【図１】本発明の望ましい実施例によるポンプ型歯磨剤容器の要部構成を示した側面図である。
【図２】本発明の他の実施例によるポンプ型歯磨剤容器の要部構成を示した側面図である。
【図３】本発明の望ましい実施例によるポンプ型歯磨剤容器の使用例を示した側面図である。
【発明を実施するための形態】
【００１６】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００１７】
図１は、本発明の望ましい実施例によるポンプ型歯磨剤容器の要部構成を示した側面図である。
【００１８】
図１を参照すれば、本発明の望ましい実施例によるポンプ型歯磨剤容器は、歯磨剤を充填する充填空間が設けられた容器本体１０、容器本体１０内に設けられたポンピング手段１３、及びポンピング手段１３と連通するようにキャップ１１の上部に組み合わせられ、垂直方向に吐出可能に配置されたノズル１２を含む。
【００１９】
容器本体１０は、歯磨剤を充填する充填空間が内部に設けられ、地面に垂直に立てられるように高さ方向の一端部、すなわち地面と接する底面の一部または全体がほぼ扁平な構造を有する。また、容器本体１０は垂直に立てられた状態で容易に転倒しないように、重心を考慮して上狭下広の形状で合成樹脂材から構成される。
【００２０】
ポンピング手段１３は、容器本体１０に設けられて歯磨剤を前記容器本体１０の外部に吐出する。図示していないが、ポンピング手段１３は容器本体１０の上端から内部に延設されたシリンダー、及び前記シリンダー内に摺動自在に挿入されたピストンユニットを含む。ポンピング手段１３を成すシリンダー及びピストンユニットとしては、通常のシャンプ容器などに用いられる部材が採用できるため、詳細な説明は省略する。
【００２１】
ポンピング手段１３の下部にはディープチューブ１３ａが連結され、容器本体１０の下部まで延長される。
【００２２】
ノズル１２は、ポンピング手段１３のシリンダーと実質的に連設されて歯磨剤吐出部を提供し、それに連結された部分は容器本体１０の上部でキャップ１１を垂直に貫通して昇降自在に設けられ、ポンピング手段１３の駆動のための押しボタンの役割を兼ねる。ノズル１２は垂直下方に作用する外力によって下降してから、バネによる所定の復元力によって元の位置に復帰するように構成される。ノズル１２が昇降するとき、それと連動する前記ポンピング手段１３のピストンユニットが前記シリンダー内で昇降して、ポンピングのための吸入力及び圧縮力を発生させる。
【００２３】
ノズル１２は、その吐出口の端部１２ａが、ポンピング時に前記ノズル１２が押されて移動する方向、すなわち地面に向かうように配置される。そのために、ノズル１２はその本体端部から一部区間が円弧状に曲げられ、吐出口の端部１２ａが地面に向かうように構成される。
【００２４】
代案として、本発明は、図２に示されたように、ノズル１２の本体が水平に延長され、ノズル１２本体の下面に吐出口の端部１２ａが形成されて地面に向かうように構成され得る。
【００２５】
上記のようなノズルの配置構造によれば、図３に示されたように、ノズル１２の下方に歯ブラシを位置させた状態でノズル１２を押して、便利且つ正確に歯ブラシ２０に歯磨剤を付着することができる。このような正確に当てられる効果は、実際の使用から算出した統計資料を見れば、従来の水平方式の吐出に比べて約３５％ほど正確さが改善されることが確認できた。
【００２６】
上記のような構成を有するポンプ型歯磨剤容器は、容器本体１０内に所定粘度のペースト状歯磨剤を充填して使用する。図３に示されたように、歯ブラシ２０を位置させた状態でノズル１２を下方に押せば、ポンピング手段１３のピストンがシリンダー内で下降し、歯磨剤がポンピングされる。このとき、歯磨剤はディープチューブ１３ａの下端部に吸い込まれ、ポンピング手段１３とノズル１２を通過して垂直に落下して歯ブラシ２０のブラシ毛上に吐出される。
【００２７】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００２８】
１０    容器本体
１１    キャップ
１２    ノズル
１２ａ    吐出口の端部
１３    ポンピング手段
１３ａ    ディープチューブ
２０    歯ブラシ
【図１】
2016055171.tif 000003
【図２】
2016055171.tif 000004
【図３】
2016055171.tif 000005